(57)【特許請求の範囲】
【請求項１】
基地局装置からのＯＦＤＭシンボルであって、かつＧＰＳ信号に含まれたＰＰＳ信号をもとにした送信タイミングによって送信されたＯＦＤＭシンボルを受信する端末装置であって、
ＧＰＳ信号を受信する受信部と、
前記受信部において受信したＧＰＳ信号をもとに、現在の存在位置を測位する測位部と、
前記測位部において測位した存在位置と、予め記憶した基地局装置の設置位置のリストとをもとに、基地局装置を選択する選択部と、
前記選択部において選択した基地局装置の設置位置と、前記測位部において測位した存在位置とをもとに、基地局装置から端末装置への伝送遅延時間を推定する推定部と、
前記推定部において推定した伝送遅延時間をもとに、前記受信部において受信したＧＰＳ信号に含まれたＰＰＳ信号を遅延させることによって、ＯＦＤＭシンボルの受信タイミングを導出する導出部と、
前記導出部において導出した受信タイミングによって、基地局装置からのＯＦＤＭシンボルを受信処理する処理部と、
を備えることを特徴とする端末装置。
【請求項２】
前記導出部は、前記推定部において推定した伝送遅延時間をもとに、前記受信部において受信したＧＰＳ信号に含まれたＰＰＳ信号を進ませることによって、ＯＦＤＭシンボルの送信タイミングを導出し、
前記処理部は、前記導出部において導出した送信タイミングによって、基地局装置へのＯＦＤＭシンボルを送信処理することを特徴とする請求項１に記載の端末装置。
【請求項３】
前記選択部は、リストの中から、存在位置に近接した基地局装置を選択する手段と、前記処理部において、選択した基地局装置をもとに導出した受信タイミングによるＯＦＤＭシンボルの受信結果に誤りが検出された場合に、リストの中から次に近接した基地局装置を繰り返し選択する手段とを含むことを特徴とする請求項１に記載の端末装置。
【発明の詳細な説明】
【技術分野】
【０００１】
本発明は、通信技術に関し、特にＯＦＤＭ信号を使用する端末装置に関する。
【背景技術】
【０００２】
高容量および信頼のおける通信システムに対する要求が高まっている。今日、データトラヒックは、主に携帯電話、デスクトップまたはポータブルコンピュータから発せられる。さらに、時代が経過し、技術が進歩するに連れて、未だ開発されていないものを含む通信機器からの要求が多くなることが予想される。例えば、家電製品または他の家庭用機器のような、現在通信装置として考えられていない機器が、大量のデータを送信に向けて生成するようになる。また、例えば携帯電話または携帯情報端末（ＰＤＡ）のような現在の機器は、より広く行き渡るのみでなく、大規模かつ複雑な双方向性およびマルチメディア用途のためにこれまでにない帯域を要求するであろう。
【０００３】
データトラヒックは配線を用いて送信されることが可能であるが、無線通信に対する要求は、現在急増しており、また将来も継続するであろう。社会の人々の移動がより多くなることによって、それらに関連する技術もが、ポータブルであることが要求される。よって、今日、多くの人々は、携帯電話およびＰＤＡを使用しながら、モバイルウェブ、電子メール、インスタントメッセージのようなデータ通信や、音声を利用する。また、より多くの人が、無線の家庭用またはオフィスネットワークを構築し、学校、喫茶店、空港、および他の公共の場所でのインターネットへの接続を可能とするホットスポットを期待している。さらに、車、船、飛行機、電車等の移動用車両でのコンピュータおよび通信技術の統合に向けた大きな動きが続いている。つまり、コンピュータを用いた技術および通信技術がよりあらゆるところに広まるに連れて、多くの場合、最も実用的で便利な通信媒体であるが故に無線分野における要求が高まり続けている。
【０００４】
一般的に、無線通信システムは、送信器と受信器とによって構成されている。送信器は、データを搬送波信号上で変調し、続いてこの搬送波信号を送信媒体に乗せて送信する。また、受信器は、送信媒体上の搬送波信号の受信を担う。より具体的には、受信器には、受信信号の同期を確立し、信号の開始位置と、信号に含まれる情報と、信号がメッセージを含んでいるかとを判定することが課される。しかしながら、同期を確立することは、雑音、干渉および他の要素によって複雑になる。このような障害があるにも関わらず、受信器は信号を検出および認識し、その内容を、通信を行うために解釈しなければならない。
【０００５】
現在、多くの拡散周波数変調技術が採用されている。これらの技術によって、狭帯域な情報信号の電力は、広い送信周波数帯域に沿って拡散される。このような送信が、少なくとも、小さなスペクトル電力密度であることに起因してシステム雑音に概して強いために、この拡散は有効である。しかしながら、このような通信システムについて知られている問題は、マルチパス遅延拡散が、複数の使用者間での干渉を引き起こすことである。市場で急速に受け入れられている規格のひとつは、直交周波数分割多重（ＯＦＤＭ）である。ＯＦＤＭは、並列送信する通信手法であり、高レートデータストリームが多数の低レートストリームに分割され、特定の周波数だけ離れた複数のサブキャリア上で同時に送信される。周波数間に正確な間隔を設けることによって、サブキャリア信号間で直交性が得られる。直交周波数は、通信信号間でのクロストークまたは干渉を最小にしまたは除去する。高い通信レートおよび干渉に対する耐性にくわえて、周波数が相互に干渉することなく重なり合うことができるので高いスペクトル効率が得られる。
【０００６】
しかしながら、ＯＦＤＭシステムにまつわるひとつの問題は、このシステムが受信器によって確立された同期の誤りに対して特に敏感であることである。このことは、システム性能の低下を引き起こす。具体的には、このシステムは、サブキャリア間で、ひいてはネットワーク利用者間での直交性を失うことがある。直交性を保つためには、送信器および受信器は、同期されていなければならない。つまり、受信器による同期確立が、ＯＦＤＭ通信を成功させるために最も重要である（例えば、特許文献１参照）。
【特許文献１】特表２００７−５２０１６７号公報
【発明の開示】
【発明が解決しようとする課題】
【０００７】
ＯＦＤＭ通信における受信器による同期確立では、複雑な処理が必要とされる。また、同期確立では、マルチパスの存在下において、多くの誤差要因を含むことが多い。本発明はこうした状況に鑑みてなされたものであり、簡易な処理によって初期のタイミング同期を高精度に確立する通信技術を提供することにある。
【課題を解決するための手段】
【０００８】
上記課題を解決するために、本発明のある態様の端末装置は、基地局装置からのＯＦＤＭシンボルであって、かつＧＰＳ信号に含まれたＰＰＳ信号をもとにした送信タイミングによって送信されたＯＦＤＭシンボルを受信する端末装置であって、ＧＰＳ信号を受信する受信部と、受信部において受信したＧＰＳ信号をもとに、現在の存在位置を測位する測位部と、測位部において測位した存在位置と、予め記憶した基地局装置の設置位置のリストとをもとに、基地局装置を選択する選択部と、選択部において選択した基地局装置の設置位置と、測位部において測位した存在位置とをもとに、基地局装置から端末装置への伝送遅延時間を推定する推定部と、推定部において推定した伝送遅延時間をもとに、受信部において受信したＧＰＳ信号に含まれたＰＰＳ信号を遅延させることによって、ＯＦＤＭシンボルの受信タイミングを導出する導出部と、導出部において導出した受信タイミングによって、基地局装置からのＯＦＤＭシンボルを受信処理する処理部と、を備える。
【０００９】
この態様によると、送信タイミングが同期されたＰＰＳ信号を伝送遅延時間に応じて遅延させることによって受信タイミングを導出するので、簡易な処理によって初期フレームの同期を高精度に確立できる。
【００１０】
導出部は、推定部において推定した伝送遅延時間をもとに、受信部において受信したＧＰＳ信号に含まれたＰＰＳ信号を進ませることによって、ＯＦＤＭシンボルの送信タイミングを導出し、処理部は、導出部において導出した送信タイミングによって、基地局装置へのＯＦＤＭシンボルを送信処理してもよい。この場合、伝送遅延時間だけＰＰＳ信号を進ませることによって、送信タイミングを導出するので、高精度に送信タイミングを推定できる。
【００１１】
選択部は、リストの中から、存在位置に近接した基地局装置を選択する手段と、処理部において、選択した基地局装置をもとに導出した受信タイミングによるＯＦＤＭシンボルの受信結果に誤りが検出された場合に、リストの中から次に近接した基地局装置を繰り返し選択する手段とを含んでもよい。この場合、近接した基地局装置から順番に基地局装置を選択するので、迅速にＯＦＤＭシンボルの送信元になる基地局装置を選択できる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、簡易な処理によって初期のタイミング同期を高精度に確立できる。
【発明を実施するための最良の形態】
【００１４】
本発明を具体的に説明する前に、概要を述べる。本発明の実施例は、基地局装置と端末装置とによって構成される無線通信システムに関する。無線通信システムは、ＯＦＤＭ変調方式を使用している。基地局装置から送信されたＯＦＤＭシンボルは、端末装置にて受信される。その際、端末装置においてＯＦＤＭシンボルの境界を検出することは、一般的に煩雑な操作となる。くわえて、基地局装置と端末装置間の伝送路がマルチパスを含む場合、ＯＦＤＭシンボルの境界、つまり受信タイミングに誤差が増大する。端末装置は、基地局装置から送信されたＯＦＤＭシンボルを受信するが、初期の同期を簡易にかつ正確に確立するために、次の処理を実行する。
【００１５】
基地局装置と端末装置は、ＧＰＳ（Ｇｌｏｂａｌ  Ｐｏｓｉｔｉｏｎｉｎｇ  Ｓｙｓｔｅｍ）信号の受信機能を有し、受信したＧＰＳ信号からＰＰＳ（Ｐｕｌｓｅ  Ｐｅｒ  Ｓｅｃｏｎｄ）信号を抽出する。ＰＰＳ信号とは、ＧＰＳ信号に含まれる１秒ごとの割り込み信号であり、ＧＰＳの原子時計を使用しているので、高精度な秒単位の信号である。基地局装置は、１秒あたりに送信すべきＯＦＤＭシンボルの数に応じて、ＰＰＳ信号でのパルスの間隔を分割することによって、各ＯＦＤＭシンボルの送信タイミングを生成する。つまり、基地局装置は、ＰＰＳ信号を基準に送信タイミングを生成する。端末装置は、ＧＰＳ信号をもとに、自らの存在位置を測位する。
【００１６】
また、端末装置は、基地局装置の設置位置が示されたリスト（以下、「基地局リスト」という）を予め記憶しており、基地局リストを参照しながら、存在位置に近接した基地局装置を選択する。端末装置は、選択した基地局装置との間の距離より伝送遅延時間を導出する。一方、端末装置は、送信装置と同様に、１秒あたりに送信すべきＯＦＤＭシンボルの数に応じて、ＰＰＳ信号でのパルスの間隔を分割する。さらに、端末装置は、分割したタイミングを伝送遅延時間だけ遅らせることによって、受信タイミングを導出する。端末装置は、導出した受信タイミングにて、基地局装置からのＯＦＤＭシンボルを受信する。
【００１７】
図１は、本発明の実施例に係る通信システム１００の構成を示す。通信システム１００は、基地局装置１０、端末装置１２を含む。また、基地局装置１０は、ＧＰＳ用アンテナ１４、ＧＰＳ受信部１６、ＯＦＤＭ送信部１８、ＯＦＤＭ受信部２０、ＲＦ部２２、基地局用アンテナ２４、制御部２６を含む。また、端末装置１２は、ＧＰＳ用アンテナ３０、ＧＰＳ受信部３２、タイミング設定部３４、記憶部３６、ＯＦＤＭ受信部３８、ＯＦＤＭ送信部４０、ＲＦ部４２、基地局用アンテナ４４、制御部４６を含む。
【００１８】
ＧＰＳ受信部１６は、ＧＰＳ用アンテナ１４を介して、図示しないＧＰＳ衛星からのＧＰＳ信号を受信する。また、ＧＰＳ受信部１６は、受信したＧＰＳ信号を復調することによって、協定世界時（ＵＴＣ）に同期したＰＰＳ信号を抽出する。ＧＰＳ受信部１６は、抽出したＰＰＳ信号をＯＦＤＭ送信部１８およびＯＦＤＭ受信部２０に出力する。
【００１９】
ＯＦＤＭ送信部１８は、送信対象となるデータ信号を入力する。また、ＯＦＤＭ送信部１８は、データ信号に対して、ランダム化、符号化、インタリーブを実行した後、既定されたルールにしたがって、データ信号をＯＦＤＭサブキャリアに割り当てる。つまり、ＯＦＤＭ送信部１８は、周波数領域のＯＦＤＭシンボルを生成する。さらに、ＯＦＤＭ送信部１８は、周波数領域のＯＦＤＭシンボルに対して、逆ＦＦＴ（ＩＦＦＴ）を実行し、例えばサイクリックプレフィックス信号を含むガードインターバル（ＧＩ）を付加してからＲＦ部２２へ出力する。なお、以下では、ガードインターバルが付加された時間領域のＯＦＤＭシンボルを単に「ＯＦＤＭシンボル」と呼ぶ。
【００２０】
ＯＦＤＭ送信部１８は、ＯＦＤＭシンボルの境界をＰＰＳ信号に同期させる。つまり、ＯＦＤＭ送信部１８は、ＧＰＳ信号に含まれたＰＰＳ信号をもとにした送信タイミングによってＯＦＤＭシンボルを規定する。具体的に説明すると、ＰＰＳ信号は、１秒間隔に「ハイ」レベルを示すタイミングを有している。また、ＯＦＤＭシンボルは、１秒あたりに複数個配置されるので、１秒あたりのＯＦＤＭシンボル個数に応じて、ＰＰＳ信号による１秒の間隔を分割する。分割した各タイミングの先頭にて、「ハイ」レベルが示されるように、送信タイミングが生成される。また、ＯＦＤＭ送信部１８は、送信タイミングに同期させるようにＯＦＤＭシンボルを配置する。
【００２１】
なお、ＰＰＳ信号に対して、時間オフセットが付加されることによって送信タイミングが生成されてもよい。ここで、時間オフセットは、ＰＰＳ信号に対して正確な時間にＯＦＤＭシンボルを送信するために設けた時間である。つまり、時間オフセットは、予測される処理遅延に応じた量に相当する。なお、時間オフセットは、設けられなくてもよい。さらに、ＰＰＳ信号は１秒に１パルスのみであるのに対して、ＯＦＤＭシンボルは１秒間に複数含まれるので、ＯＦＤＭシンボルごとに時間オフセットが決められてもよい。なお、ＰＰＳ信号ごとにＯＦＤＭシンボルの送信タイミングが決定されてもよいが、基地局装置１０のクロック精度によっては、数〜数十ＰＰＳパルスに１回だけ、タイミング調整がなされてもよい。
【００２２】
図２（ａ）−（ｂ）は、基地局装置１０において生成される送信タイミングを示す。図２（ａ）は、ＰＰＳ信号を示す。ＰＰＳ信号は、通常は「ロー」レベルを示しているが、定期的に「ハイ」を示す。隣接した「ハイ」レベルの時間間隔が１秒に相当する。図２（ｂ）は、ＰＰＳ信号に同期したＯＦＤＭシンボルを示す。ここで、１秒の間に、Ｎ個のＯＦＤＭシンボルが配置されるものとする。ＰＰＳ信号の「ハイ」レベルから時間オフセットだけ遅延された時間に、第１ＯＦＤＭシンボルが配置されている。また、第１ＯＦＤＭシンボルに続いて、第２ＯＦＤＭシンボルから第ＮＯＦＤＭシンボルが１秒の間に配置される。なお、各ＯＦＤＭシンボルの先頭部分に、図示しないガードインターバルが設けられる。図１に戻る。
【００２３】
ＯＦＤＭ受信部２０は、ＯＦＤＭ送信部１８での送信タイミングと同様に、受信タイミングを生成し、端末装置１２からのＯＦＤＭシンボルを受信する。ここで、通信システム１００がＦＤＤ（Ｆｒｅｑｕｅｎｃｙ  Ｄｉｖｉｓｉｏｎ  Ｄｕｐｌｅｘ）を採用している場合、ＯＦＤＭ送信部１８から送信されるＯＦＤＭシンボルと、ＯＦＤＭ受信部２０において受信されるＯＦＤＭシンボルとは、異なった無線周波数を有する。一方、通信システム１００がＴＤＤ（Ｔｉｍｅ  Ｄｉｖｉｓｉｏｎ  Ｄｕｐｌｅｘ）を採用している場合、ＯＦＤＭ送信部１８から送信されるＯＦＤＭシンボルと、ＯＦＤＭ受信部２０において受信されるＯＦＤＭシンボルとは、同一無線周波数を有する。その際、送信タイミングと受信タイミングとは一致し、ＯＦＤＭシンボルの有無によって、ＴＤＤの制御がなされればよい。なお、このような制御は、制御部２６によってなされる。
【００２４】
ＲＦ部２２は、ＯＦＤＭ送信部１８から受けつけたＯＦＤＭシンボルに対して、ベースバンドから無線周波数領域へ周波数変換を実行する。また、ＲＦ部２２は、無線周波数のＯＦＤＭシンボルを増幅した後に、基地局用アンテナ２４から送信する。また、ＲＦ部２２は、基地局用アンテナ２４から受信した無線周波数のＯＦＤＭシンボルをベースバンドへ周波数変換を実行する。基地局用アンテナ２４は、ベースバンドのＯＦＤＭシンボルをＯＦＤＭ受信部２０へ出力する。制御部２６は、端末装置１２全体の動作を制御する。
【００２５】
ＧＰＳ受信部３２は、ＧＰＳ用アンテナ３０を介して、ＧＰＳ信号を受信する。ＧＰＳ受信部３２は、ＧＰＳ受信部１６と同様に動作し、ＰＰＳ信号を出力する。また、ＧＰＳ受信部３２は、受信したＧＰＳ信号をもとに、現在の存在位置を測位する。測位の方法は、公知の技術でよいので、ここでは説明を省略する。記憶部３６は、前述の基地局リストを記憶する。図３は、記憶部３６に記憶された基地局リストのデータ構造を示す。図示のごとく、基地局ＩＤ欄２００、緯度欄２０２、経度欄２０４が含まれる。基地局ＩＤ欄２００では、基地局装置１０に付与された識別番号の一覧が示されている。また、緯度欄２０２、経度欄２０４には、基地局ＩＤ欄２００に示された基地局装置１０が設置された緯度と経度とが示されている。図１に戻る。
【００２６】
タイミング設定部３４は、ＧＰＳ受信部３２において測位した存在位置と、記憶部３６に予め記憶した基地局リストとをもとに、基地局装置の設置位置を選択する。つまり、タイミング設定部３４は、存在位置から、基地局リストを用いて、存在位置に最近接の基地局装置１０を候補として選定する。タイミング設定部３４は、選択した設置位置と、測位した存在位置とをもとに、基地局装置から端末装置への伝送遅延時間を推定する。例えば、設置位置から存在位置への直線距離が導出され、直線距離が光速にて除算されることによって、伝送遅延時間が導出される。このような伝送遅延時間は、直接波の伝送遅延時間に相当する。
【００２７】
タイミング設定部３４は、推定した伝送遅延時間をもとに、ＰＰＳ信号を遅延させることによって、ＯＦＤＭシンボルの受信タイミングを導出する。タイミング設定部３４は、ＯＦＤＭ送信部１８と同様に、１秒あたりのＯＦＤＭシンボル個数に応じて、ＰＰＳ信号による１秒の間隔を分割する。また、タイミング設定部３４は、分割して生成された各タイミングに、時間オフセット、推定した伝送遅延時間、ガードインターバルの期間を加算することによって、受信タイミングを生成する。
【００２８】
図４（ａ）−（ｃ）は、端末装置１２において生成される受信タイミングを示す。図４（ａ）は、図２（ａ）と同様にＰＰＳ信号を示す。図４（ｂ）は、タイミング設定部３４において生成された受信タイミングを示す。ＯＦＤＭ送信部１８と同様に、ＰＰＳ信号での隣接した「ハイ」レベルの間隔が分割されることによって受信タイミングが生成され、さらに受信タイミングが、時間オフセット、伝送遅延時間およびガードインターバル期間だけ遅延される。ここでは、各ＯＦＤＭシンボルに対応したタイミングを「第１ウインドウ」から「第Ｎウインドウ」として示す。なお、各ウインドウは、ガードインターバルを含むように示されている。なお、「第１ウインドウ」から「第Ｎウインドウ」により区切られるＯＦＤＭシンボルから、先頭部分のガードインターバル区間が除去された後に、ＦＦＴがなされる。図４（ｃ）は、図４（ｂ）に示された各ウインドウにて受信されたＯＦＤＭシンボルを示す。図１に戻る。
【００２９】
なお、タイミング設定部３４は、後述のＯＦＤＭ受信部３８において、生成した受信タイミングによるＯＦＤＭシンボルの受信結果に誤りが検出された場合に、基地局リストの中から次に近接した基地局装置１０を選択する。また、タイミング設定部３４は、受信タイミングが確定するまで、以上の処理を繰り返し実行する。しかしながら、基地局装置１０ごとに送信電力が異なる場合もあり得る。これに対応するため、タイミング設定部３４は、送信電力と、基地局装置１０との距離を考慮して、受信電力が最大になる基地局装置１０を選択してもよい。また、受信電力が大きいと推測される基地局装置１０順に選択がなされてもよい。
【００３０】
なお、受信タイミングを導出する際に、ガードインターバルの期間を考慮しているが、これはマルチパス対策のためである。基地局装置１０と端末装置１２との幾何学的な距離から伝送遅延時間が導出されているので、理論上、伝送遅延時間よりも早く到達する信号はないといえる。次に、マルチパス信号は伝送遅延時間よりも遅延する。しかしながら、一般的にガードインターバル期間は、基地局装置１０が管轄するサービスエリア内での遅延分散時間を考慮して設定されるので、基地局装置１０のサービスエリア内であれば、多くの遅延波はガードインターバル期間内に到達する。想定されるすべてのマルチパス波が到来した時期、つまりガードインターバル期間後からのＯＦＤＭシンボルにＦＦＴを実行することによって、ひとつ前のＯＦＤＭシンボルからの影響が低減される。
【００３１】
また、タイミング設定部３４は、受信タイミングだけではなく、送信タイミングも推定する。つまり、タイミング設定部３４は、伝送遅延時間をもとに、受信部において受信したＧＰＳ信号に含まれたＰＰＳ信号を進ませることによって、ＯＦＤＭシンボルの送信タイミングを導出する。端末装置１２から基地局装置１０へ至る上り回線であっても、一般的に、下り回線と同様の伝送遅延時間が想定される。タイミング設定部３４は、この伝送遅延時間を初期値として、ＰＰＳ信号のタイミングを伝送遅延時間だけ早めることによって、送信タイミングを生成する。このような送信タイミングを使用することによって、基地局装置１０が、各端末装置１２からの信号を受信する際のタイミングを共通にできる。なお、基地局装置１０と端末装置１２との間が見通し外であった場合、直接波よりも遅延波の方が強い場合があるので、上り回線の送信タイミングを初期値として、調節がなされてもよい。
【００３２】
ＲＦ部４２は、基地局用アンテナ４４を介して、基地局装置１０からのＯＦＤＭシンボルを受信したり、基地局装置１０へＯＦＤＭシンボルを送信したりする。なお、ＲＦ部４２は、ＲＦ部２２と同様に動作するので、ここでは、説明を省略する。ＯＦＤＭ受信部３８は、タイミング設定部３４において導出した受信タイミングによって、基地局装置１０からのＯＦＤＭシンボルを受信処理する。つまり、タイミング設定部３４において導出されたウインドウの先頭からガードインターバル期間を除いた部分が、ＦＦＴの切り出しタイミングとして、ＯＦＤＭ受信部３８は、ＦＦＴ切り出し区間だけ信号を抽出する。また、タイミング設定部３４は、切り出した信号に対してＦＦＴを実行することによって、周波数領域のＯＦＤＭを導出する。なお、ＯＦＤＭ受信部３８の処理は、ＯＦＤＭ受信部２０の処理と同様である。
【００３３】
ＯＦＤＭ送信部４０は、タイミング設定部３４において導出した送信タイミングによって、基地局装置１０へのＯＦＤＭシンボルを送信処理する。なお、ＯＦＤＭ送信部４０の処理は、ＯＦＤＭ送信部１８の処理と同様であるので、ここでは説明を省略する。制御部４６は、端末装置１２全体の動作を制御する。端末装置１２のタイミング設定は、ＰＰＳ信号に基づいており、端末装置１２の図示内クロックの安定性に影響される。そこで、ＧＰＳ受信部３２の位置情報および時刻情報を取得する際にＧＰＳ受信がなされてもよい。その結果、端末装置１２のローカル・クロックの周波数安定性が高められてから、受信タイミングを特定することにより、より正確なＯＦＤＭシンボル同期が可能になる。
【００３４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
以上の構成による通信システム１００の動作を説明する。図５は、端末装置１２における受信手順を示すフローチャートである。ＧＰＳ受信部３２は、存在位置を測位する（Ｓ１０）。タイミング設定部３４は、記憶部３６に記憶された基地局リストを参照しながら、近接して設置された基地局装置１０を選択する（Ｓ１２）。タイミング設定部３４は、選択した基地局装置１０との伝送遅延時間を導出する（Ｓ１４）。タイミング設定部３４は、ＰＰＳ信号を時間オフセット、伝送遅延時間、ガードインターバル期間だけ遅延させることによって、受信タイミングを生成する（Ｓ１６）。受信のエラーがしきい値よりも小さくなければ（Ｓ１８のＮ）、タイミング設定部３４は、次に近接して設置された基地局装置１０を選択し（Ｓ２０）、ステップ１０に戻る。一方、受信のエラーがしきい値よりも小さくなれば（Ｓ１８のＹ）、処理は終了される。
【００３６】
本発明の実施例によれば、送信タイミングが同期されたＰＰＳ信号を伝送遅延時間に応じて遅延させることによって受信タイミングを導出するので、簡易な処理によって初期フレームの同期を高精度に確立できる。また、受信した信号から受信タイミングを導出しないので、マルチパスの影響を低減できる。また、送信タイミングを生成する際の規則にあわせて受信タイミングを導出するので、受信タイミングの精度を向上できる。また、伝送遅延時間だけＰＰＳ信号を進ませることによって、送信タイミングを導出するので、高精度に送信タイミングを推定できる。また、端末装置が基地局装置に合わせて送信タイミングを導出するので、基地局装置における処理を簡易にできる。また、近接した基地局装置から順番に基地局装置を選択するので、迅速にＯＦＤＭシンボルの送信元になる基地局装置を選択できる。また、煩雑な操作を回避しながらも、ＯＦＤＭシンボルタイミングを確立できる。
【００３７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【図面の簡単な説明】
【００３８】
【図１】本発明の実施例に係る通信システムの構成を示す図である。
【図２】図２（ａ）−（ｂ）は、図１の基地局装置において生成される送信タイミングを示す図である。
【図３】図１の記憶部に記憶された基地局リストのデータ構造を示す図である。
【図４】図４（ａ）−（ｃ）は、図１の端末装置において生成される受信タイミングを示す図である。
【図５】図１の端末装置における受信手順を示すフローチャートである。
【符号の説明】
【００３９】
１０  基地局装置、  １２  端末装置、  １４  ＧＰＳ用アンテナ、  １６  ＧＰＳ受信部、  １８  ＯＦＤＭ送信部、  ２０  ＯＦＤＭ受信部、  ２２  ＲＦ部、  ２４  基地局用アンテナ、  ２６  制御部、  ３０  ＧＰＳ用アンテナ、  ３２  ＧＰＳ受信部、  ３４  タイミング設定部、  ３６  記憶部、  ３８  ＯＦＤＭ受信部、  ４０  ＯＦＤＭ送信部、  ４２  ＲＦ部、  ４４  基地局用アンテナ、  ４６  制御部、  １００  通信システム。
【図１】
0005249562.tif 000002
【図２】
0005249562.tif 000003
【図３】
0005249562.tif 000004
【図４】
0005249562.tif 000005
【図５】
0005249562.tif 000006